(57)【要約】      （修正有）【課題】使用後にガスを完全に遮断できないトラブルや、炎が完全に消火していない状態が発生した場合でも、強制的に消火することができる安全で有用でガスライターを提供する。【解決手段】残り火防止手段６は、ガス噴出ノズル３の先端上に配設された左右一対の開閉部材６ａ，６ａと、開閉部材６ａ，６ａを所定の高さに保持せしめるためのスペーサ６ｂとを備える。開閉部材６ａ，６ａは、金属若しくは耐熱・耐火性の合成樹脂材で形成されており、遊端側６ａ１，６ａ１がガス噴出ノズル３のガス噴出口に立ち塞がるべくアーチ状に突き合わされている。換言すれば、この開閉部材６ａ，６ａは、ガス噴出ノズル３が開弁操作で引き出された際、同ノズル３の先端側で突き抜けられることで開蓋するように位置決めされており、着火後、同ガス噴出ノズル３が元の位置に戻ることで、開閉部材６ａ，６ａはその弾性力で自動的に元の閉蓋状態へと戻るのである。【選択図】図１
0003115368.tif 000002
【実用新案登録請求の範囲】
【請求項１】
ライター本体に押し込み若しくは回動自在に装着された着火操作子と、該着火操作子の操作に連動されてガス噴出ノズルの頚部を引出方向に動作させて開弁せしめる弁操作レバーとを備えてなるライターにおいて、
前記ガス噴出ノズルの先端側に立ち塞がるべく配置され、開弁操作で引き出される前記ガス噴出ノズルの突き上げで開蓋する残り火防止手段を設けたことを特徴とするガスライター。
【請求項２】
前記残り火防止手段は、ガス噴出ノズルの先端上で突き合わされるべく閉蓋した左右一対の開閉部材からなり、前記ガス噴出ノズルの開弁操作で引き出される同ノズルの先端側が同開閉部材を突き抜けることでのみ開蓋して着火可能状態となり、同ガス噴出ノズルが元の位置に戻ることで前記開閉部材を閉蓋せしめて残り火を消火せしめることを特徴とする請求項１に記載のガスライター。
【考案の詳細な説明】
【技術分野】
【０００１】
本考案は、使用後にガスを完全に遮断できないトラブルが発生した場合でも、強制的に消火することができる安全で有用なガスライターに関する。
【背景技術】
【０００２】
従来、斯かるガスライターは、大別して、発火石をヤスリで擦り、その際の火花で着火させるヤスリ式ライター（所謂、フリント式ライター）と、圧電素子を打撃機構で打撃して高電圧を生じさせる圧電ユニットを使用し、火花放電で着火させる圧電着火式ライター（所謂、ピエゾライター）とがある。これらガスライターは、着火操作子の押し下げ操作によってガス噴出ノズルが操作されてガスの噴出が始まると共に、着火手段が操作されて火花が発生し、ガス着火が行われるように組み付けられている(特許文献１参照)。
【特許文献１】特開２００２−３４９８５０号公報
【考案の開示】
【考案が解決しようとする課題】
【０００３】
しかしながら、上述した特開２００２−３４９８５０号公報に開示されたガスライターにあっては、ガスバーナ手段であるガス噴出ノズルの引き戻りが甘い時などは開弁状態となってガスが漏れるため、着火後、風防内に残り火が起きる可能性がある。
【０００４】
また、従来のガスライターにあっては、風防の頂部が炎孔を介して、常時、開口しているため、ライターを携帯する際、衣服のポケットや鞄内にあるティッシュの屑や埃塵などが炎孔から風防内に入ってしまうことが危惧されており、延いては、この埃塵等に引火してしまうことが原因で、炎が完全に消えず、小さな残り火の状態で燃え続けることも危惧されている。
【０００５】
本考案はこのような従来の問題点に鑑みてなされたもので、使用後にガスを完全に遮断できないトラブルや、炎が完全に消火していない状態が発生した場合でも、強制的に消火することができる安全で有用でガスライターを提供することを目的としたものである。
【課題を解決するための手段】
【０００６】
上述の如き従来の問題点を解決し、所期の目的を達成するため本考案の要旨とする構成は、ライター本体に押し込み若しくは回動自在に装着された着火操作子と、該着火操作子の操作に連動されてガス噴出ノズルの頚部を引出方向に動作させて開弁せしめる弁操作レバーとを備えてなるライターにおいて、前記ガス噴出ノズルの先端側に立ち塞がるべく配置され、開弁操作で引き出される前記ガス噴出ノズルの突き上げで開蓋する残り火防止手段を設けてなるガスライターに存する。
【０００７】
また、前記残り火防止手段は、ガス噴出ノズルの先端上で突き合わされるべく閉蓋した左右一対の開閉部材からなり、前記ガス噴出ノズルの開弁操作で引き出される同ノズルの先端側が同開閉部材を突き抜けることでのみ開蓋して着火可能状態となり、同ガス噴出ノズルが元の位置に戻ることで前記開閉部材を閉蓋せしめて残り火を消火せしめるのが良い。
【考案の効果】
【０００８】
本考案は上述のように構成され、前記ガス噴出ノズルの先端側に立ち塞がるべく配置され、開弁操作で引き出される前記ガス噴出ノズルの先端側が突き抜けることでのみ開蓋する残り火防止手段を設けたことによって、着火操作子の押込操作と戻り操作を利用して自動的に開閉するため、仮令、着火後にガスを完全に遮断できないトラブルや炎が完全に消火していない状態が発生した場合でも、強制的に消火することができる安全なガスライターを提供できる。
【０００９】
また、前記残り火防止手段は、ガス噴出ノズルの先端上で突き合わされるべく閉蓋した左右一対の開閉部材からなり、前記ガス噴出ノズルの開弁操作で引き出される同ノズルの先端側が同開閉部材を突き抜けることでのみ開蓋して着火可能状態となり、同ガス噴出ノズルが元の位置に戻ることで前記開閉部材を閉蓋せしめて残り火を消火せしめることによって、確実に残り火によるトラブルを防止できるといった効果を奏するものである。
【００１０】
このように本考案のガスライターは、仮令、着火後にガスを完全に遮断できないトラブルや、炎が完全に消火していない状態が発生した場合でも、強制的に消火することができると共に、構成が単純であるため、大量生産に適し価格も低廉なものとして需用者に供給できるなど、本考案を実施することはその実益的価値が甚だ大である。
【考案を実施するための最良の形態】
【００１１】
前記残り火防止手段を、ガス噴出ノズルの先端上で突き合わされるべく閉蓋した左右一対の開閉部材で構成し、前記ガス噴出ノズルの開弁操作で引き出される同ノズルの先端側が同開閉部材を突き抜けることでのみ開蓋して着火可能状態となり、同ガス噴出ノズルが元の位置に戻ることで前記開閉部材を閉蓋せしめて残り火を消火せしめる。
【実施例】
【００１２】
次に本考案の実施の一例を図面を参照しながら説明する。図中Ａは、本考案に係る残り火防止手段を備えたライターであり、このライターＡは、図１乃至図２に示すように、ライター本体１内に気密に組み付けられたバルブ機構２と、該バルブ機構２の頂面に突出すべく設けられたガス噴出ノズル３と、ライター本体１に押し込み自在に装着された着火操作子４と、該着火操作子４の操作に連動されて前記ガス噴出ノズル３の頚部を引出方向に動作させて開弁せしめる弁操作レバー５とを備えている。
【００１３】
バルブ機構２は、頂部端面に開口（図示せず）を有する筒蓋状のノズル螺旋２ａと、該ノズル螺旋２ａの下方開口部に嵌合された有底筒状のノズル底栓体２ｂとで内部に弁室（図示せず）を形成しているもので、この弁室内には、Ｏリング、スプリングを介してガス噴出ノズル３が上端を前記ノズル螺旋の開口より外方へ突出すべく装着されている。
【００１４】
また、前記ガス噴出ノズル３の頚部には、上下に揺動自在に支持された弁操作レバー５の一方端５ａが係合されているもので、該弁操作レバー５の持ち上げ操作により前記ガス噴出ノズル３の頚部が引出方向に動作されて弁が開きガスの噴出が始まるように組み付けられている。
【００１５】
一方、残り火防止手段６は、ガス噴出ノズル３の先端上に配設された左右一対の開閉部材６ａ，６ａと、該開閉部材６ａ，６ａを所定の高さに保持せしめるためのスペーサ６ｂとを備えている。
【００１６】
前記開閉部材６ａ，６ａは、金属若しくは耐熱・耐火性の合成樹脂材で形成されており、図２に示すように、遊端側６ａ１  ，６ａ１  が前記ガス噴出ノズル３のガス噴出口に立ち塞がるべくアーチ状に突き合わされている。
【００１７】
換言すれば、この開閉部材６ａ，６ａは、前記ガス噴出ノズル３が開弁操作で引き出された際、同ノズル３の先端側で突き抜けられることで開蓋するように位置決めされており(図５参照)、着火後、同ガス噴出ノズル３が元の位置に戻ることで、開閉部材６ａ，６ａはその自体弾性力で自動的に元の閉蓋状態へと戻るのである（図６参照）。
【００１８】
前記スペーサ６ｂは、開閉部材６ａ，６ａの左右両端側を上から押さえるための脚６ｂ１  ，６ｂ１  と、着火操作子４の押込操作に連れて下方へ移動する放電端子８(図６参照)を許容するスリット６ｂ２  とを備えている。
【００１９】
このように構成される本考案のガスライターＡは、ライター本体１を握持した手の親指で着火操作子４を押し下げ操作することにより、圧電ユニット７を押圧動作して放電端子８に火花放電が発生し、ガス噴出ノズル３の頚部が弁操作レバー５により引出方向に動作されて前記開閉部材６ａ，６ａを突き上げて開蓋すると共に弁が開き、かつ、前記液化ガス吸上部材９を介して吸い上げられたガスタンク１０内の燃料ガスがフィルター１１に達し気化する。
【００２０】
また、気化したガスは、フィルター１１を透過してノズル底栓体２ｂの弁孔を抜け更にガス噴出ノズル３の半径方向に開口された穿孔（図示せず）を通ってガス噴出路（図示せず）内に達し上端の噴出口から外方へと噴出され、前記火花放電が引火して着火するのである。
【００２１】
また、着火後は、着火操作子４が元に戻るに連れて前記ガス噴出ノズル３が開閉部材６ａ，６ａの下に納まるべく元の位置に戻ることにより、同開閉部材６ａ，６ａが自体弾性力で自動的に閉蓋して同ノズル３のガス噴出口に立ち塞がるため、ガスを完全に遮断できないトラブルや、炎が完全に消火していない状態が発生した場合でも、強制的に消火することができる。尚、図中１２は風防である。
【００２２】
尚、本考案のスライターは本実施例に限定されることなく、本考案の目的の範囲内で自由に設計変更し得るものであり、本考案はそれらの全てを包摂するものである。例えば、本実施例では圧電着火式ガスライター（所謂ピエゾライター）についてのみ説明しているが、これに限定されることなく、ガス噴出ノズル３が引き出されるヤスリ式ガスライター（所謂フリント式ガスライター）や内燃式ガスライター等についても使用できることは云うまでもない。
【図面の簡単な説明】
【００２３】
【図１】本考案に係るガスライターの要部を示す一部縦断面図である。
【図２】同ガスライターの残り火防止手段（閉蓋状態）を示す説明図である。
【図３】同残り火防止手段の組立分解斜視図である。
【図４】同残り火防止手段の開蓋状態(着火状態)を示す斜視図である。
【図５】同残り火防止手段の開蓋状態(着火状態)を示す縦断面図である。
【図６】図６(ａ)は同ガスライターの一部省略平面図、図６(ｂ)は同ガスライターの縦断面図、図６(ｃ)は同ガスライターの縦断面図である。
【符号の説明】
【００２４】
１  ライター本体
２  バルブ機構
２ａ  ノズル螺旋
２ｂ  ノズル底栓体
３  ガス噴出ノズル
４  着火操作子
５  弁操作レバー
６  残り火防止手段
６ａ  開閉部材
６ａ１  遊端
６ｂ  スペーサ
６ｂ１  脚
６ｂ２  スリット
７  圧電ユニット
８  放電端子
９  液化ガス吸上部材
１０  ガスタンク
１１  フィルター
１２  風防
【図１】
0003115368.tif 000003
【図２】
0003115368.tif 000004
【図３】
0003115368.tif 000005
【図４】
0003115368.tif 000006
【図５】
0003115368.tif 000007
【図６】
0003115368.tif 000008